(57)【特許請求の範囲】
【請求項１】
可撓性及び乳房を保持可能な剛性を備え、乳房カップの下方に取り付けられる鍔部と、該鍔部の上縁から前記乳房カップ側に張り出す立ち上がり部とを一体に形成して成り、前記鍔部は、その脇寄り端部に幅広いフィン部が形成され、前記立ち上がり部の上縁及びフィン部を、他の部分より薄く柔軟に形成したことを特徴とする乳房カップの補強部材。
【請求項２】
前記フィン部は、前記鍔部と一体に、且つ、脇に近づくに従って幅広く形成されている請求項１に記載の乳房カップの補強部材。
【請求項３】
前記立ち上がり部の傾斜角度を、脇に近づくに従って緩やかに形成した請求項１又は２に記載の乳房カップの補強部材。
【請求項４】
前記立ち上がり部の高さを、脇に近づくに従って高く形成した請求項１乃至３のいずれかに記載の乳房カップの補強部材。
【請求項５】
前部両側に乳房カップを設け、各乳房カップの下縁に沿って前記請求項１乃至４のいずれかに記載された乳房カップの補強部材を装着したことを特徴とする衣類。
【発明の詳細な説明】
【０００１】
【発明の属する技術分野】
本発明は、乳房カップの補強部材及びこれを装着したブラジャー、ボディスーツ、ブラスリップ、ビスチェ、水着、スリップドレス等の衣類に関する。
【０００２】
【従来の技術】
一般的に、ブラジャー等の乳房カップを有する衣類においては、乳房の形状を美しく整える機能を高めるために、乳房カップの下縁に沿って布製のチャネル部材を取り付け、このチャネル部材の内部に円弧状のワイヤを収納していた。
ところが、乳房を内側上方に寄せ上げるために、ワイヤには所定以上の剛性を付与してあり、しかも、ワイヤの断面は非常に細く形成してあるので、肌に食い込んで圧迫感や痛みを与えることがあった。また、繰り返し洗濯すると、細いワイヤの端部がチャネル部材を突き破って脱出する心配もあった。
【０００３】
そこで、従来、カップ部分の下方周縁部に沿って縫着される取付用周縁鍔部と、この鍔部に対し９０゜以上の角度で立上がる乳房受部とを有し、全体が可撓性のあるゴム状弾性材料で構成された体型補整具を、カップ部分に取り付ける技術が実公平３−４８１６２号公報に開示されている。
これによれば、面で乳房を持ち上げるため顕著なバストアップ効果が得られると共に、ワイヤに比べて肌に当たる面積が広いので、着用者に与える圧迫感や痛みが少なくて済む。
しかし、カップ部分の下方周縁から乳房受部が幅広く立ち上がっているので、乳房の重みによって乳房受部を外方に回転させようとするモーメントが働き、特に、脇部寄りにおいては乳房が外側に流れようとするため、このモーメントが大きくなる。ところが、上記従来の技術では、補整具の脇寄りに加わるモーメントに抵抗する手段を備えていないため、乳房の脇方向への流れを完全に防ぐことはできなかった。
【０００４】
また、乳房カップの下縁に沿ってカップワイヤーが設けられ、乳房カップの脇側の縁に沿って、その外側に面状に延在するアモルファス樹脂シート状片が配設された女性用衣類が特許第３０６９２３７号公報に開示されている。
ところが、このものは、バストアップ機能を主としてワイヤに頼っているので、ワイヤの食い込みや脱出を完全に無くすことはできない。また、ワイヤとアモルファス樹脂シート状片とが別体で素材も異なるため、ワイヤに加わる力が確実にアモルファス樹脂シート状片へ伝わるとはいえず、さらに、製造工程の同じ段階で同時に取り付けることができないため、製造が面倒であった。
【０００５】
【発明が解決しようとする課題】
この発明は、着用者に与える圧迫感や痛みを抑制し、しかも、乳房が脇へ流れるのを確実に防いで美しく補整することができ、衣類へ装着しやすい乳房カップの補強部材及びこれを装着した衣類を提供することを課題とする。
【０００６】
【課題を解決するための手段】
本発明の乳房カップの補強部材は、可撓性及び乳房を保持可能な剛性を備え、乳房カップの下方に取り付けられる鍔部と、鍔部の上縁から乳房カップ側に張り出す立ち上がり部とを一体に形成して成り、鍔部はその脇寄り端部に幅広いフィン部が形成され、前記立ち上がり部の上縁及びフィン部を、他の部分より薄く柔軟に形成してある。
また、本発明の衣類は、この補強部材を前部両側に設けた乳房カップの下縁に沿って装着してある。
【０００７】
幅広く張り出す立ち上がり部は広い面積で肌へ接触するため、着用者へ与える圧迫感や痛みを防ぐことができる。
鍔部の脇寄り端部にフィン部を形成した構成により、このフィン部が乳房の重みによって脇部へ加わるモーメントに対向して、乳房が脇方向へ流れるのを防ぎ、バストを内側へ寄せて美しく補整する。
鍔部と立ち上がり部とを一体に形成した結果、立ち上がり部に加わる力が確実にフィン部へ伝わり、しかも、両者を同時に装着できて、衣類への組み付けが容易となる。
立ち上がり部の上縁及びフィン部を、他の部分より薄く柔軟に形成することにより、肌への当たりを柔らかくして、いっそう着用感を良好にすると共に、フィン部や立ち上がり部の先端が肌に食い込んで、脇部や乳房の形状に不自然な段部が形成されるのを防ぐ。
【０００８】
フィン部は、鍔部と一体に、且つ、脇に近づくに従って幅広く形成することができる。このようにすると、フィン部の形状が身体に馴染みやすい。
立ち上がり部の傾斜角度を、脇に近づくに従って緩やかに形成することができる。この構成により、立ち上がり部の傾斜角度が乳房の形状に馴染んで、肌への食い込みを防ぎ、バストを自然で美しい形状に補整できる。
立ち上がり部の高さを、脇に近づくに従って高く形成することも可能である。この結果、立ち上がり部の低く形成された前寄り端部は、乳房の前中心寄りに食い込むことが無く、立ち上がり部の高く形成された脇寄り端部で、いっそう効果的に乳房を内側へ押圧する。
【０００９】
【発明の実施の形態】
以下、ブラジャーである実施形態を図面に基づいて詳細に説明する。
図１に示すように、ブラジャーは、土台布１の前部両側に乳房カップ２を設け、乳房カップ２の下縁に沿ってそれぞれ補強部材３を配設して構成される。
土台布１は、着用者の胸囲部を一周する長さを有し、その両端には互いに着脱自在に係合するフックが装着されている。
乳房カップ２は、図２に示すように、従来公知の素材より成る内面布４、外面布５及び装飾レース６を、内面側からこの順に重ねて形成される。内面布４にはソフトファイバーフィル等の柔らかい素材を用い、外面布５には、ハードファイバーフィル等のこれよりやや硬い素材を用いる。また、乳房カップ２の上端中央部から土台布１の上端背面側にかけて、ストラップ７が架け渡されている（図１）。
【００１０】
補強部材３は、内面布４と外面布５との間に配設され（図２）、乳房カップ２の下縁の形状に沿った略円弧状をなす（図１）。また、補強部材３は、図３に示すように、乳房カップ２の下方に取り付けられる鍔部８と、鍔部８の上縁から乳房カップ２側に張り出す立ち上がり部９とを一体に形成して成る。
鍔部８の幅は６mm〜７mm程度であるが、その脇寄り端部には、長さ約６．５cmに亘って、幅広いフィン部１０が形成されている。フィン部１０の形状は、脇に近づくに従って幅広くなる略三角形としてあり、フィン部１０の最も広い部分（脇寄り端縁）の幅は、ブラジャーのデザイン等によっても異なるが、通常約２cmである。
なお、鍔部８の寸法は、ブラジャーのサイズによって適宜変更することができる。
【００１１】
立ち上がり部９の傾斜角度は、バストを理想的な形状に保持するように、前中心寄りの端部では急角度であり、脇に近づくに従って次第に緩やかになっている。
また、立ち上がり部９の立ち上がり高さも、前中心寄りの端部では低く、脇に近づくに従って次第に高く形成してある。このため、立ち上がり部９が乳房の前中心寄りに食い込むことがなく、乳房を内側へ寄せる効果が高まる。
【００１２】
また、補強部材３は、可撓性と乳房を保持可能な剛性とを兼ね備えた素材を用いる。例えば、図４に示すように、エチレン−ビニール−アセテートの網状シート１１，１１’を２枚重ね、その外面にそれぞれポリエステル不織布１２，１２’を重合し、さらにその外面にマーキゼット１３，１３’を重ねてモールド加工した６層構造のシートを用いる。
なお、立ち上がり部９の上縁部及びフィン部１０は、乳房及び脇部への肌当たりを良くすると共に、身体のラインに馴染みやすくするために、ポリエステル不織布１２，１２’を取り除いて、柔らかく形成してある。
【００１３】
補強部材３は、円弧状に湾曲し、鍔部８に対して立ち上がり部９が傾斜して成形されているので、内面布４と外面布５との間に挟んで一度に縫製しようとすると、立ち上がり部９を押し潰して平らにしながら縫わなければならない。このようにすると、縫い難いばかりか、補強部材３の湾曲形状が広がって変形してしまい、乳房カップ２の正確な位置に取り付けることができない。
そこで、内面布４、補強部材３及び外面布５は、次のようにして互いに取り付けられる。
【００１４】
予め、外面布５と装飾レース６とを縫いつけてアウターカップを形成し、このアウターカップの下縁部表面に沿ってカバー布１６の上端部を縫着しておく（図２）。
なお、カバー布１６としては、マーキゼットの表面にレースを重ねたもののように、装飾性に富んだ素材を用いると良い。
【００１５】
また、乳房カップ２の下方に配置される土台布１の裏面にトリコット布１５の一側部を縫いつけ、土台布１と内面布４とを縫い合わせる。
さらに、土台布１の表面に、その下縁に沿って弾性帯布１７を縫いつける。
また、内面布４の表面下縁に沿って補強部材３の鍔部８を重ねて互いに逢着する。
そして、内面布４の裏面下部にベロア等を素材とするチャネル部材１４の上部を重ねて、鍔部８、内面布４及びチャネル部材１４の上部を逢着すると共に、土台布１の裏面にチャンネル部材１４の下端部を重ねて、弾性帯布１７，土台布１及びチャンネル部材１４の下部を縫着する。
【００１６】
次いで、カバー布１６の下部とトリコット布１５の他側部とを中表に縫い付けた後、この縫い目から折り返し、アウターカップの上縁と内面布４の上縁とを縫い合わせる。
この結果、鍔部８が乳房カップ２の下方に配置され、立ち上がり部９が内面布４と外面布５との間において乳房カップ２側に張り出される。そして、フィン部１０は、乳房カップ２の外方において土台布１の脇部に張り出す。
また、上記したように内面布４、補強部材３及び外面布５を接合すれば、補強部材３を変形させることなく、簡単に乳房カップ２へ取り付けることができ、しかも、縫着部分がカバー布１６で被覆されるため、体裁も良い。
【００１７】
【発明の効果】
本発明によれば、立ち上がり部がワイヤに比べて広い面積で肌へ接触するので、着用者へ圧迫感や痛みを与えることが無く、しかも、バストアップ効果が高い。
フィン部が乳房の重みによって立ち上がり部の脇側端部へ加わるモーメントに抵抗するため、乳房が脇方向へ流れるのを防ぐことができ、バストを内側へ寄せ上げて美しく補整することが可能である。また、立ち上がり部の脇寄り端部へ加わるモーメントによって、フィン部が肌に圧接されるが、フィン部の面積が広いため、違和感を与えることはない。
鍔部と立ち上がり部とが一体に形成されているので、取り付けが容易であるばかりか、立ち上がり部に加わる力が確実にフィン部へ伝達され、フィン部による補整機能が有効に働く。
【００１８】
立ち上がり部の上縁及びフィン部を薄く、且つ、柔軟に形成してあるため、着用感が良好になると共に、フィン部や立ち上がり部の先端が自然に肌に馴染んで、脇部や乳房の形状に不自然な段部が形成されることがない。
立ち上がり部の傾斜角度を、脇に近づくに従って緩やかにすると、立ち上がり部が、乳房の形状に沿う角度で張り出されるので肌へ食い込む心配が無く、乳房を自然で美しい形状に補整することができる。
立ち上がり部の高さを、脇に近づくに従って高く形成すれば、立ち上がり部が乳房の前中心寄りに食い込むのを防止できると共に、乳房を内側へ寄せる効果が高まる。
【図面の簡単な説明】
【図１】本発明の実施形態を示すブラジャーの斜視図
【図２】同上の断面図
【図３】補強部材の斜視図
【図４】補強部材の断面図
【符号の説明】
１  土台布
２  乳房カップ
３  補強部材
４  内面布
５  外面布
６  装飾レース
７  ストラップ
８  鍔部
９  立ち上がり部
１０  フィン部
１１，１１’  網状シート
１２，１２’  ポリエステル不織布
１３，１３’  マーキゼット
１４  チャネル部材
１５  トリコット布
１６  カバー布
１７  弾性帯布
【図１】
0004084018.tif 000002
【図２】
0004084018.tif 000003
【図３】
0004084018.tif 000004
【図４】
0004084018.tif 000005